(57)【要約】【課題】  ＩＰ変換後のプログレッシブ画像の画質を向上させることが可能な画像処理装置及び画像処理方法の提供。【解決手段】  画像処理装置１は、該当画素の動き部分検出を行う動き部分検出手段２ａ，２ｂ，２ｃと、インターレース映像信号のデータが存在しないラインとＭＰＥＧ２−ＭＰ＠ＭＬ方式特有の垂直方向の情報量が半分しかないラインについてＭＰＥＧ２−ＭＰ＠ＭＬ検出を行うＭＰＥＧ２−ＭＰ＠ＭＬ検出手段３と、クロマ信号Ｃｒ，Ｃｂを補間する際、動き部分検出手段の検出結果に応じて輝度信号Ｙの画像データを参照しながら補間処理を行う補間処理手段４とを備える。ＭＰＥＧ２−ＭＰ＠ＭＬ検出手段３の検出結果により作成した補間データに基づいてＭＰＥＧ２−ＭＰ＠ＭＬ方式の信号をプログレッシブ映像信号に変換する。【選択図】      図１
2006121568.tif 000002
【特許請求の範囲】
【請求項１】
該当画素の動き部分検出を行う動き部分検出手段を備え、ＭＰＥＧ２−ＭＰ＠ＭＬ方式の信号をプログレッシブ映像信号に変換する処理を行う画像処理装置において、
インターレース映像信号のデータが存在しないラインとＭＰＥＧ２−ＭＰ＠ＭＬ方式特有である垂直方向の情報量が半分しかないラインについてＭＰＥＧ２−ＭＰ＠ＭＬ検出を行うＭＰＥＧ２−ＭＰ＠ＭＬ検出手段と、２種類のクロマ信号を補間する際、前記動き部分検出手段の検出結果に応じて輝度信号の画像データを参照しながら補間処理を行う補間処理手段とを備え、前記ＭＰＥＧ２−ＭＰ＠ＭＬ検出手段の検出結果によって補間画素演算の補間方法を変更し、補間データを作成し、作成した前記補間データに基づいて前記ＭＰＥＧ２−ＭＰ＠ＭＬ方式の信号をプログレッシブ映像信号に変換することを特徴とする画像処理装置。
【請求項２】
上記補間処理手段は、偶数フィールド間或いは奇数フィールド間の少なくともどちらか一方の差分データを演算し、演算した前記差分データを上記動き部分検出に用いる請求項１に記載の画像処理装置。
【請求項３】
上記補間処理手段は、上記２種類のクロマ信号の映像判定を行い、上記ＭＰＥＧ２−ＭＰ＠ＭＬ検出手段は、ＭＰＥＧ２信号の４：２：０信号のＭＰ＠ＭＬ検出を行い、そして、前記ＭＰＥＧ２−ＭＰ＠ＭＬ検出手段の検出結果に応じて補間処理を変更する第１の補間処理変更手段を備えている請求項１に記載の画像処理装置。
【請求項４】
上記補間処理手段は、信号ソースの種類によって上記ＭＰＥＧ２−ＭＰ＠ＭＬ検出を行う上記ＭＰＥＧ２−ＭＰ＠ＭＬ検出手段の検出の閾値を変更する請求項３に記載の画像処理装置。
【請求項５】
上記輝度信号の画像データの情報によって上記２種類のクロマ信号を補間する際、参照データの情報に応じて補間処理を変更する第２の補間処理変更手段を備えている請求項１に記載の画像処理装置。
【請求項６】
上記第２の補間処理変更手段は、上記参照データの情報に応じて補間処理の閾値を変更する請求項５に記載の画像処理装置。
【請求項７】
上記２種類のクロマ信号は、独立の閾値を持つ請求項１に記載の画像処理装置。
【請求項８】
該当画素の動き部分検出を行う動き部分検出処理を含み、ＭＰＥＧ２−ＭＰ＠ＭＬ方式の信号をプログレッシブ映像信号に変換する処理を行う画像処理方法において、
インターレース映像信号のデータが存在しないラインとＭＰＥＧ２−ＭＰ＠ＭＬ方式特有である垂直方向の情報量が半分しかないラインについてＭＰＥＧ２−ＭＰ＠ＭＬ検出を行うＭＰＥＧ２−ＭＰ＠ＭＬ検出処理と、２種類のクロマ信号を補間する際、前記動き部分検出処理の検出結果に応じて輝度信号の画像データを参照しながら補間処理を行う補間処理とを含み、前記ＭＰＥＧ２−ＭＰ＠ＭＬ検出処理の検出結果によって補間画素演算の補間方法を変更し、補間データを作成し、作成した前記補間データに基づいて前記ＭＰＥＧ２−ＭＰ＠ＭＬ方式の信号をプログレッシブ映像信号に変換することを特徴とする画像処理方法。
【発明の詳細な説明】
【技術分野】
【０００１】
本発明は、液晶，ＰＤＰ（Ｐｌａｓｍａ  Ｄｉｓｐｌａｙ  Ｐａｎｅｌ；プラズマディスプレイパネル），ＰＡＬＣ（Ｐｌａｓｍａ  Ａｄｄｒｅｓｓｅｄ  Ｌｉｑｕｉｄ  Ｃｒｙｓｔａｌ；プラズマアドレス液晶クリスタル）ディスプレイパネル，有機ＥＬ（Ｅｌｅｃｔｒｏ  Ｌｕｍｉｎｅｓｃｅｎｃｅ），ＣＲＴ（Ｃａｔｈｏｄｅ  Ｒａｙ  Ｔｕｂｅ；ブラウン管）等を表示デバイスとしたプログレッシブスキャン対応のテレビジョン受像機（以下、ＴＶと呼ぶ）或いはモニターにＤＶＤなどのＭＰＥＧ２−ＭＰ＠ＭＬ方式の信号を表示する際、当該方式の検出を行い、クロマ信号の処理を輝度信号の画像情報に応じて補間方法を変更するＩＰ変換回路を備えた画像処理装置及び画像処理方法に関するものである。
【背景技術】
【０００２】
近年、ＴＶのプログレッシブスキャン化とＤＶＤ（Ｄｉｇｉｔａｌ  Ｖｅｒｓａｔｉｌｅ  Ｄｉｓｃ），デジタル放送などでＭＰＥＧ２（Ｍｏｖｉｎｇ  Ｐｉｃｔｕｒｅ  Ｅｘｐｅｒｔｓ  Ｇｒｏｕｐ）−ＭＰ＠ＭＬ（Ｍａｉｎ  Ｐｒｏｆｉｌｅ  ａｔ  Ｍａｉｎ  Ｌｅｖｅｌ）方式信号のソースの氾濫が進んでいる。
【０００３】
図５は、ＩＴＵ−Ｒ６０１フォーマットとＭＰＥＧ２−ＭＰ＠ＭＬ方式のフォーマットの一例を示す説明図である。
図５において、横軸は水平方向の画素数を表し、縦軸は走査線の本数を表す。
アナログ信号からデジタル信号へフォーマット変換する場合、輝度信号Ｙのサンプリング周波数を１３．５ＭＨｚとし、２種類のクロマ信号Ｃｂ，Ｃｒのサンプリング周波数を半分の６．７５ＭＨｚとする。
図５に示すＩＴＵ−Ｒ６０１フォーマットは、情報量の比例値をとって４：２：２フォーマットと呼ばれている。
【０００４】
しかしながら、４：２：２フォーマットは、データ量が多くＤＶＤ等の記録メディアの容量や伝送帯域を多く必要とするため、クロマ信号の変化の認識率が輝度信号の変化の認識率に比べて低いという人間の目の特性を考慮して、ＭＰＥＧ２−ＭＰ＠ＭＬ方式では、図５に示すように、４：２：０フォーマットが定義されている。
当該方式は、垂直方向のクロマ信号のＣｂ，Ｃｒを、一本目のラインでクロマ信号Ｃｂを取り込み、次のラインでクロマ信号Ｃｒを取り込む方式であり、結果としてＹ（輝度信号）：Ｃｂ（クロマ信号）：Ｃｒ（クロマ信号）の割合が１ライン目４：２：０、２ライン目４：０：２となり、一般的に４：２：０フォーマットと表現している。
【０００５】
図６は、通常のＭＰＥＧ２エンコーダの出力を示す説明図である。
一方、ＤＶＤプレイヤーやデジタル放送のＳＴＢ（Ｓｅｔ  Ｔｏｐ  Ｂｏｘ）に搭載されているＭＰＥＧ２デコーダチップは、欠如しているクロマ信号Ｃｂ，Ｃｒを、図６に示すように、垂直方向に２度書き（ダブリング）を行って出力する方法が一般的である。
【０００６】
従来、動き部分検出を行い、インターレースの映像信号のデータが存在しないラインについて補間画素演算を行って補間データを作成し、当該補間データに基づいてインターレースの映像信号をプログレッシブの映像信号に変換する画像処理装置が特許文献１に開示されている。
【０００７】
特許文献１に開示された画像処理装置は、現フィールドデータと複数のフィールドディレイデータに基づいて、それぞれのフィールド間のデータ差分を演算し、それぞれのデータ差分値であらかじめ設定した閾値よりも大きい部分にフラグを立て、得られたそれぞれのフラグデータの論理和を動き部分検出に用いるようにしたものである。
【特許文献１】特開２００２−１８５９３３号公報
【発明の開示】
【発明が解決しようとする課題】
【０００８】
図７は、通常のＭＰＥＧ２エンコーダの出力を示す説明図、図８は、従来の技術でＩＰ変換した出力を示す説明図である。
上記出力を静止画の領域でＩＰ変換処理を行うと、図７及び図８に示すように、クロマ信号Ｃｂが垂直方向にライン反転が発生し、原画とは異なった映像信号が表示され画質劣化の原因となる。
【０００９】
図９は、従来の技術でＩＰ変換した出力を示す説明図である。
一方、人間の目は輝度信号Ｙと比較してクロマ信号Ｃｂの感度が低いことを利用して、図９に示すように、クロマ信号Ｃｂの補間方法をフィールド内補間して出力することも考えられるが、斜め線のジャギーや、時間軸方向での映像成分が異なるため、フリッカーが発生し、画質劣化の原因となる。
【００１０】
そこで、本発明は、上記課題に鑑みてなされたもので、ＭＰＥＧ２−ＭＰ＠ＭＬ方式で記録された信号をＩＰ変換する際、クロマ信号の補間画質を改良することができ、ＭＰＥＧ２−ＭＰ＠ＭＬ方式の信号をＩＰ変換した際のクロマ信号の目障りな画像劣化を低減し、原画に忠実な表示を行え、ＩＰ変換後のプログレッシブ画像の画質を向上させることが可能な画像処理装置及び画像処理方法を提供することを目的とする。
【課題を解決するための手段】
【００１１】
この発明は、上記の課題を解決するために、以下の構成を備えている。
本発明の画像処理装置は、該当画素の動き部分検出を行う動き部分検出手段を備え、ＭＰＥＧ２−ＭＰ＠ＭＬ方式の信号をプログレッシブ映像信号に変換する処理を行う画像処理装置において、インターレース映像信号のデータが存在しないラインとＭＰＥＧ２−ＭＰ＠ＭＬ方式特有である垂直方向の情報量が半分しかないラインについてＭＰＥＧ２−ＭＰ＠ＭＬ検出を行うＭＰＥＧ２−ＭＰ＠ＭＬ検出手段と、２種類のクロマ信号を補間する際、前記動き部分検出手段の検出結果に応じて輝度信号の画像データを参照しながら補間処理を行う補間処理手段とを備え、前記ＭＰＥＧ２−ＭＰ＠ＭＬ検出手段の検出結果によって補間画素演算の補間方法を変更し、補間データを作成し、作成した前記補間データに基づいて前記ＭＰＥＧ２−ＭＰ＠ＭＬ方式の信号をプログレッシブ映像信号に変換することを特徴とする構成を有するものである。
【００１２】
上記に記載の本発明によれば、ＭＰＥＧ２−ＭＰ＠ＭＬ方式の信号を動き部分検出手段とＭＰＥＧ２−ＭＰ＠ＭＬ検出手段により原画に忠実で画質劣化のないＩＰ変換を行うことが可能である。
【００１３】
本発明の画像処理装置は、上記補間処理手段が、偶数フィールド間或いは奇数フィールド間の少なくともどちらか一方の差分データを演算し、演算した前記差分データを上記動き部分検出に用いる。
【００１４】
上記に記載の本発明によれば、偶数フィールド間の差分データだけでなく、奇数フィールド間の差分データも用いることで、走査線間部分の細かい範囲の動きに対しても検出感度を上げることができる。
【００１５】
本発明の画像処理装置は、上記補間処理手段が、上記２種類のクロマ信号の映像判定を行い、上記ＭＰＥＧ２−ＭＰ＠ＭＬ検出手段が、ＭＰＥＧ２信号の４：２：０信号のＭＰ＠ＭＬ検出を行い、そして、前記ＭＰＥＧ２−ＭＰ＠ＭＬ検出手段の検出結果に応じて補間処理を変更する第１の補間処理変更手段を備えている。
【００１６】
上記に記載の本発明によれば、ＭＰＥＧ２−ＭＰ＠ＭＬ検出手段の検出結果に応じて補間処理を変更することができる。
【００１７】
本発明の画像処理装置は、上記補間処理手段が、信号ソースの種類によって上記ＭＰＥＧ２−ＭＰ＠ＭＬ検出を行う上記ＭＰＥＧ２−ＭＰ＠ＭＬ検出手段の検出の閾値を変更する。
【００１８】
上記に記載の本発明によれば、信号ソースの種類によってＭＰＥＧ２−ＭＰ＠ＭＬ検出を行うＭＰＥＧ２−ＭＰ＠ＭＬ検出手段の検出の閾値を変更することができる。
【００１９】
本発明の画像処理装置は、上記輝度信号の画像データの情報によって上記２種類のクロマ信号を補間する際、参照データの情報に応じて補間処理を変更する第２の補間処理変更手段を備えている。
【００２０】
上記に記載の本発明によれば、２種類のクロマ信号を輝度信号の画像データの情報により補間する際に、参照データの情報に応じて補間処理を変更することができる。
【００２１】
本発明の画像処理装置は、上記第２の補間処理変更手段が、上記参照データの情報に応じて補間処理の閾値を変更する。
【００２２】
上記に記載の本発明によれば、参照データの情報に応じて補間処理の閾値を変更することができる。
【００２３】
本発明の画像処理装置は、上記２種類のクロマ信号が、独立の閾値を持つ。
【００２４】
上記に記載の本発明によれば、２種類のクロマ信号が独立の閾値を持つことができる。
【００２５】
本発明の画像処理方法は、該当画素の動き部分検出を行う動き部分検出処理を含み、ＭＰＥＧ２−ＭＰ＠ＭＬ方式の信号をプログレッシブ映像信号に変換する処理を行う画像処理方法において、インターレース映像信号のデータが存在しないラインとＭＰＥＧ２−ＭＰ＠ＭＬ方式特有である垂直方向の情報量が半分しかないラインについてＭＰＥＧ２−ＭＰ＠ＭＬ検出を行うＭＰＥＧ２−ＭＰ＠ＭＬ検出処理と、２種類のクロマ信号を補間する際、前記動き部分検出手段の検出結果に応じて輝度信号の画像データを参照しながら補間処理を行う補間処理とを含み、前記ＭＰＥＧ２−ＭＰ＠ＭＬ検出手段の検出結果によって補間画素演算の補間方法を変更し、補間データを作成し、作成した前記補間データに基づいて前記ＭＰＥＧ２−ＭＰ＠ＭＬ方式の信号をプログレッシブ映像信号に変換することを特徴とするものである。
【００２６】
上記に記載の本発明によれば、ＭＰＥＧ２−ＭＰ＠ＭＬ方式の信号を動き部分検出処理とＭＰＥＧ２−ＭＰ＠ＭＬ検出処理により原画に忠実で画質劣化のないＩＰ変換を行うことが可能である。
【発明の効果】
【００２７】
以上に述べたように、本発明によれば、ＭＰＥＧ２−ＭＰ＠ＭＬ方式で記録された信号をＩＰ変換する際、クロマ信号の補間画質を改良することができ、ＭＰＥＧ２−ＭＰ＠ＭＬ方式の信号をＩＰ変換した際のクロマ信号の目障りな画像劣化を低減し、原画に忠実な表示を行え、ＩＰ変換後のプログレッシブ画像の画質を向上させることが可能な画像処理装置及び画像処理方法を得ることができる。
【発明を実施するための最良の形態】
【００２８】
以下、本発明を実施するための最良の形態を図面を参照して詳細に説明する。
【実施例】
【００２９】
本発明の画像処理装置１は、該当画素の動き部分検出を行う動き部分検出手段であるＹ（輝度信号）動き部分検出手段２ａ，Ｃｒ（クロマ信号）動き部分検出手段２ｂ，Ｃｂ（クロマ信号）動き部分検出手段２ｃを備え、ＭＰＥＧ２−ＭＰ＠ＭＬ方式の信号をプログレッシブ映像信号に変換する処理を行うものである。
【００３０】
本発明の画像処理装置１は、インターレース映像信号のデータが存在しないラインとＭＰＥＧ２−ＭＰ＠ＭＬ方式特有である垂直方向の情報量が半分しかないラインについてＭＰＥＧ２−ＭＰ＠ＭＬ検出を行うＭＰＥＧ２−ＭＰ＠ＭＬ検出手段３と、２種類のクロマ信号Ｃｒ，Ｃｂを補間する際、Ｙ動き部分検出手段２ａ，Ｃｒ動き部分検出手段２ｂ，Ｃｂ動き部分検出手段２ｃの検出結果に応じて輝度信号Ｙの画像データを参照しながら補間処理を行う補間処理手段４とを備え、ＭＰＥＧ２−ＭＰ＠ＭＬ検出手段３の検出結果によって補間画素演算の補間方法を変更し、補間データを作成し、作成した補間データに基づいてＭＰＥＧ２−ＭＰ＠ＭＬ方式の信号をプログレッシブ映像信号に変換するようになっている。
【００３１】
本発明の画像処理装置１は、補間処理手段４が、偶数フィールド間或いは奇数フィールド間の少なくともどちらか一方の差分データを演算し、演算した差分データを動き部分検出に用いる。
【００３２】
本発明の画像処理装置１は、補間処理手段４が、２種類のクロマ信号Ｃｒ，Ｃｂの映像判定を行い、ＭＰＥＧ２−ＭＰ＠ＭＬ検出手段３が、ＭＰＥＧ２信号の４：２：０信号のＭＰ＠ＭＬ検出を行い、そして、ＭＰＥＧ２−ＭＰ＠ＭＬ検出手段３の検出結果に応じて補間処理を変更する第１の補間処理変更手段を備えている。
【００３３】
本発明の画像処理装置１は、補間処理手段４が、信号ソースの種類によってＭＰＥＧ２−ＭＰ＠ＭＬ検出を行うＭＰＥＧ２−ＭＰ＠ＭＬ検出手段３の検出の閾値を変更するようになっている。
【００３４】
本発明の画像処理装置１は、輝度信号Ｙの画像データの情報によって２種類のクロマ信号Ｃｒ，Ｃｂを補間する際、参照データの情報に応じて補間処理を変更する第２の補間処理変更手段を備えている。
【００３５】
本発明の画像処理装置１は、第２の補間処理変更手段が、参照データの情報に応じて補間処理の閾値を変更するようになっている。
【００３６】
本発明の画像処理装置１は、２種類のクロマ信号Ｃｒ，Ｃｂが、独立の閾値を持つ。
【００３７】
本発明の画像処理方法は、該当画素の動き部分検出を行う動き部分検出処理であるＹ（輝度信号）動き部分検出処理，Ｃｒ（クロマ信号）動き部分検出処理，Ｃｂ（クロマ信号）動き部分検出処理を含み、ＭＰＥＧ２−ＭＰ＠ＭＬ方式の信号をプログレッシブ映像信号に変換する処理を行う。
【００３８】
本発明の画像処理方法は、インターレース映像信号のデータが存在しないラインとＭＰＥＧ２−ＭＰ＠ＭＬ方式特有である垂直方向の情報量が半分しかないラインについてＭＰＥＧ２−ＭＰ＠ＭＬ検出を行うＭＰＥＧ２−ＭＰ＠ＭＬ検出処理と、２種類のクロマ信号Ｃｒ，Ｃｂを補間する際、Ｙ動き部分検出処理，Ｃｒ動き部分検出処理，Ｃｂ動き部分検出処理の検出結果に応じて輝度信号Ｙの画像データを参照しながら補間処理を行う補間処理とを含み、ＭＰＥＧ２−ＭＰ＠ＭＬ検出処理の検出結果によって補間画素演算の補間方法を変更し、補間データを作成し、作成した補間データに基づいてＭＰＥＧ２−ＭＰ＠ＭＬ方式の信号をプログレッシブ映像信号に変換する。
【００３９】
図１は、本発明の実施例に係る画像処理装置の回路構成を示すブロック図である。
画像処理装置１は、図１に示すように、入力端子Ｉｙより入力された輝度信号Ｙの動き部分の検出を行うＹ（輝度信号）動き部分検出手段２ａと、入力端子Ｉｃｒより入力されたクロマ信号Ｃｒの動き部分の検出を行うＣｒ（クロマ信号）動き部分検出手段２ｂと、入力端子Ｉｃｂより入力されたクロマ信号Ｃｂの動き部分の検出を行うＣｂ（クロマ信号）動き部分検出手段２ｃと、輝度信号ＹのＩＰ変換を行うＩＰ変換回路５ａと、クロマ信号ＣｒのＩＰ変換を行うＩＰ変換回路５ｂと、クロマ信号ＣｂのＩＰ変換を行うＩＰ変換回路５ｃと、輝度信号Ｙをフィールド単位で遅延させるＹ（輝度信号）遅延手段であるフィールドメモリ６ａと、クロマ信号Ｃｒをフィールド単位で遅延させるＣｒ（クロマ信号）遅延手段であるフィールドメモリ６ｂと、クロマ信号Ｃｂをフィールド単位で遅延させるＣｂ（クロマ信号）遅延手段であるフィールドメモリ６ｃと、ＭＰＥＧ２−ＭＰ＠ＭＬ検出を行うＭＰＥＧ２−ＭＰ＠ＭＬ検出手段３とから構成されている。
【００４０】
画像処理装置１の補間処理手段４は、フィールドメモリ６ａ，６ｂ，６ｃ及びＩＰ変換回路５ａ，５ｂ，５ｃにより構成される。
【００４１】
Ｙ（輝度信号）動き部分検出手段２ａ，Ｃｒ（クロマ信号）動き部分検出手段２ｂ，Ｃｂ（クロマ信号）動き部分検出手段２ｃが該当画素の動き部分検出を行い、ＭＰＥＧ２−ＭＰ＠ＭＬ検出手段３がインターレース映像信号のデータが存在しないラインとＭＰＥＧ２−ＭＰ＠ＭＬ方式特有である垂直方向の情報量が半分しかないラインについてＭＰＥＧ２−ＭＰ＠ＭＬ検出を行い、ＭＰＥＧ２−ＭＰ＠ＭＬ検出手段３の検出結果によって補間画素演算手段となるＩＰ変換回路５ｂ，５ｃの補間方法を変更し、補間データを作成し、作成した補間データに基づいてＭＰＥＧ２−ＭＰ＠ＭＬ方式の信号をプログレッシブ映像信号に変換する画像処理装置１において、クロマ信号Ｃｒ，Ｃｂを補間する際、補間処理手段４がＹ動き部分検出手段２ａ，Ｃｒ動き部分検出手段２ｂ，Ｃｂ動き部分検出手段２ｃの動き部分検出の結果によっては輝度信号Ｙの画像データを参照しながら補間処理を行う。
【００４２】
図２は、本発明の実施例に係る画像処理装置を説明する詳細回路構成を示すブロック図である。
本発明による画像処理装置の実施例を、図２を中心に以下に説明する。
なお、クロマ信号Ｃｒ，クロマ信号Ｃｂについては、同様の処理を取るため、以下図２においては、クロマ信号Ｃとする。
【００４３】
入力端子Ｉｃより入力したクロマ信号Ｃは、ＭＰＥＧ２−ＭＰ＠ＭＬ検出手段３に入力される。
ＭＰＥＧ２−ＭＰ＠ＭＬ検出手段３は、同一フィールド内の奇数ライン，偶数ラインを比較し、その差分数情報を取得する。
取得した差分数情報が、任意の閾値以下の場合、ＭＰＥＧ２−ＭＰ＠ＭＬ検出手段３は、入力信号が該当フォーマットに属すると判定し、クロマ信号ＣのＩＰ変換を行うＩＰ変換回路５ｂ，ｃに制御信号１００を伝達させる。
【００４４】
また、クロマ信号Ｃは、クロマ信号動き部分検出手段２ｂ，ｃに入力される。
クロマ信号Ｃの動き部分検出を行うクロマ信号動き部分検出手段２ｂ，ｃは、クロマ信号Ｃをフィールド単位で遅延させるフィールドメモリ６ｂ，ｃによって任意のフィールド遅延されたフィールド映像信号と比較することによって任意の閾値以下の場合、クロマ信号動き部分検出手段２ｂ，ｃは、該当信号部分が静止画領域であると判定し、クロマ信号ＣのＩＰ変換を行うＩＰ変換回路５ｂ，ｃに制御信号１０１を伝達させる。
【００４５】
一方、入力端子Ｉｙより入力した輝度信号Ｙについても同様に、輝度信号Ｙは、Ｙ（輝度信号）動き部分検出手段２ａに入力される。
輝度信号Ｙの動き部分検出を行うＹ動き部分検出手段２ａは、輝度信号Ｙをフィールド単位で遅延させるフィールドメモリ６ａによって任意のフィールド遅延されたフィールド映像信号と比較することによって任意の閾値以下の場合、Ｙ動き部分検出手段２ａは、該当信号部分が静止画領域であると判定し、クロマ信号ＣのＩＰ変換を行うＩＰ変換回路５ｂ，ｃに制御信号１０２を伝達させる。
【００４６】
図３は、本発明の実施例に係る画像処理装置で処理した出力を示す説明図である。
クロマ信号ＣのＩＰ変換を行うＩＰ変換回路５ｂ，ｃは、制御信号１００によってＭＰＥＧ２−ＭＰ＠ＭＬ信号であると判定され、Ｙ動き部分検出手段２ａの検出結果である制御信号１０２とクロマ信号動き部分検出手段２ｂ，ｃの検出結果である制御信号１０１が双方とも静止画判定をした時、ＩＰ変換回路５ｂ，ｃは、図３に示すように、フィールド毎にクロマ信号Ｃｂは偶数ラインを廃棄し、クロマ信号Ｃｒは奇数ラインを廃棄し、該当ラインの画素毎に周辺画素のライン、該当画素の輝度信号Ｙを元に任意の係数を元に画素を作成する。
【００４７】
図４は、本発明の実施例に係る画像処理装置で処理した最終出力を示す説明図である。
上記処理を行った偶数フィールドと奇数フィールドからＩＰ変換を行い、図４に示すような、クロマ信号Ｃｂのプログレッシブ出力を得る。
得られたクロマ信号Ｃｂの当該プログレッシブ出力は、図８に示された原画映像と同様の出力結果を得ることができる。
【図面の簡単な説明】
【００４８】
【図１】本発明の実施例に係る画像処理装置の回路構成を示すブロック図。
【図２】本発明の実施例に係る画像処理装置を説明する詳細回路構成を示すブロック図。
【図３】本発明の実施例に係る画像処理装置で処理した出力を示す説明図。
【図４】本発明の実施例に係る画像処理装置で処理した最終出力を示す説明図。
【図５】ＩＴＵ−Ｒ６０１フォーマットとＭＰＥＧ２−ＭＰ＠ＭＬ方式のフォーマットの一例を示す説明図。
【図６】通常のＭＰＥＧ２エンコーダの出力を示す説明図。
【図７】通常のＭＰＥＧ２エンコーダの出力を示す説明図。
【図８】従来の技術でＩＰ変換した出力を示す説明図。
【図９】従来の技術でＩＰ変換した出力を示す説明図。
【符号の説明】
【００４９】
１  画像処理装置
２ａ  輝度信号動き部分検出手段
２ｂ  クロマ信号動き部分検出手段
２ｃ  クロマ信号動き部分検出手段
２ｂ，ｃ  クロマ信号動き部分検出手段
３  ＭＰＥＧ２−ＭＰ＠ＭＬ検出手段
４  補間処理手段
５ａ  ＩＰ変換回路
５ｂ  ＩＰ変換回路（補間画素演算手段）
５ｃ  ＩＰ変換回路（補間画素演算手段）
５ｂ，ｃ  ＩＰ変換回路
６ａ  フィールドメモリ（輝度信号遅延手段）
６ｂ  フィールドメモリ（クロマ信号遅延手段）
６ｃ  フィールドメモリ（クロマ信号遅延手段）
６ｂ，ｃ  フィールドメモリ
Ｙ  輝度信号
Ｃ  クロマ信号
Ｃｂ  クロマ信号
Ｃｒ  クロマ信号
Ｉｙ  入力端子
Ｉｃ  入力端子
Ｉｃｂ  入力端子
Ｉｃｒ  入力端子
１００  制御信号
１０１  制御信号
１０２  制御信号
【図１】
2006121568.tif 000003
【図２】
2006121568.tif 000004
【図３】
2006121568.tif 000005
【図４】
2006121568.tif 000006
【図５】
2006121568.tif 000007
【図６】
2006121568.tif 000008
【図７】
2006121568.tif 000009
【図８】
2006121568.tif 000010
【図９】
2006121568.tif 000011